(57)【要約】【課題】スライドショー再生する際に、１つの画面上に表示される画像は対比的な印象の画像データで構成され、かつ、表示の際に選択された画像データがほぼ全てスライドショー再生されるスライドショー再生装置を提供する。【解決手段】撮像装置（スライドショー再生装置）１００において、スライドショーデータ生成部１０３が生成するスライドショーデータ３００は、スライドショーを再生する際の１つのシーンに、同一の分類における画像データの中から対比的な印象を有する画像データが表示されるように設定され、かつ、選択された画像データのほぼ全てを表示できるように、画像データを予め分類し、その中から画像データのデータセットを作成し、分類された画像データの多い順が再生順となるように構成されている。【選択図】図２
2010074340.tif 000002
【特許請求の範囲】
【請求項１】
少なくとも２以上の画像データが記憶されたユーザー画像格納部と、
前記画像データを１つ以上のシーンに割り当てたスライドショーデータを生成するスライドショーデータ生成部と、
前記スライドショーデータに基づいて、前記シーン毎に、前記画像データを表示装置に表示するスライドショー再生部と、を有し、
前記スライドショーデータ生成部は、
前記ユーザー画像格納部に記憶された前記画像データを取り出し、予め設定された複数の分類種別毎に、当該分類種別に対応する当該画像データの特徴量を算出し、
前記特徴量相互に対して距離が定義され前記分類種別毎に、前記分類種別に対応する前記特徴量相互の距離が所定の値以上離れる条件を満足するように、前記画像データを、所定の枚数を一組のデータセットとして、前記条件を満足する組が最も多くなるように前記データセットを生成し、
前記分類種別のうち、最も多くのデータセットが生成された前記分類種別の当該データセットを用いて、当該データセットの各々に含まれる前記画像データが１つのシーンに割り当てられるように、前記スライドショーデータを生成し、
前記スライドショーデータの生成において、当該スライドショーデータに使用されなかった前記画像データに対して、前記最も多くのデータセットが生成された前記分類種別以外の分類種別に基づく前記特徴量の算出、前記データセットの分類及び前記スライドショーデータの生成を、前記画像データの枚数が前記スライドショーデータの生成ができなくなる枚数になるまで繰り返すように構成されたスライドショー再生装置。
【請求項２】
前記分類種別は、前記画像データの特徴量として当該画像データの色情報を用いるように構成された請求項１に記載のスライドショー再生装置。
【請求項３】
前記分類種別は、前記画像データの特徴量として当該画像データの明暗情報を用いるように構成された請求項１または２に記載のスライドショー再生装置。
【請求項４】
前記分類種別は、前記画像データの特徴量として当該画像データの撮影時刻情報を用いるように構成された請求項１〜３いずれか一項に記載のスライドショー再生装置。
【請求項５】
前記分類種別は、前記画像データの特徴量として当該画像データに含まれる被写体の顔検出情報を用いるように構成された請求項１〜４いずれか一項に記載のスライドショー再生装置。
【請求項６】
光学系及び当該光学系で結像された像を検出する撮像素子を備え、当該撮像素子で検出された前記像を前記画像データとして前記ユーザー画像格納部に記憶する撮像部をさらに有する請求項１〜５いずれか一項に記載のスライドショー再生装置。
【発明の詳細な説明】
【技術分野】
【０００１】
本発明は、スライドショー再生装置に関する。
【背景技術】
【０００２】
近年、銀塩カメラに変わって、デジタルカメラが主流となっており、それに伴い撮影された画像の観賞方法も多様化している。従来、記録保存された複数のデジタル画像を、このデジタルカメラに内蔵された液晶表示部や外部のテレビモニタ等の装置により、所定の順序で表示するという使い方は、一般に「スライドショー」と呼ばれている。このようなスライドショーにおいては、一画面に一枚の写真を表示することが多かった。しかし、画像編集の容易なデジタル化、画像領域の広いＨＤＴＶ（High  Definition  Television：高品位テレビ）などの普及もあり、一画面に複数の写真を表示したいという要求も増えてきている。また、一画面に複数の写真を表示するにあたり、その画面に効果的なデザインを施す方法や、写真の選択方法、写真の表示方法などが、提案されてきている。例えば、撮影された画像群より、各々の特徴、被写体距離、色情報、人数の情報、またはズーム位置情報を利用して、予め選択したひとつの主画像に対し、対比的な副画像を複数選択して、表示またはプリントアウトする方法が提案されている（例えば、特許文献１参照）。
【特許文献１】特開２００７−１０４３３７号公報
【発明の開示】
【発明が解決しようとする課題】
【０００３】
しかしながら、従来の方法では、対比的な画像の選択を行う場合に、ユーザーが予め１ページ毎に、ひとつの主画像を選択することが必要であり、所定の順序で表示するスライドショーのような表示方法の場合には、スライドショーのシーン毎にユーザーが主画像を選択することとなると、作業量が膨大で、煩雑となり、また、主画像を自動で選択されるようにした場合には、スライドショーで表示されない画像が出てくる恐れがあるなどの課題がある。
【０００４】
本発明は、このような課題に鑑みてなされたものであり、表示装置に画像を出力してスライドショー再生を行う際に、特徴量により分類された画像データの中から自動的に対比的な画像データを選択するとともに、多くの画像データをスライドショー表示するように構成されたスライドショー再生装置を提供することを目的とする。
【課題を解決するための手段】
【０００５】
前記課題を解決するため、本発明に係るスライドショー再生装置は、少なくとも２以上の画像データが記憶されたユーザー画像格納部と、画像データを１つ以上のシーンに割り当てたスライドショーデータを生成するスライドショーデータ生成部と、スライドショーデータに基づいて、前記シーン毎に、画像データを表示装置に表示するスライドショー再生部と、を有し、スライドショーデータ生成部は、ユーザー画像格納部に記憶された画像データを取り出し、予め設定された複数の分類種別毎に、当該分類種別に対応する当該画像データの特徴量を算出し、特徴量相互に対して距離が定義され分類種別毎に、分類種別に対応する特徴量相互の距離が所定の値以上離れる条件を満足するように、画像データを、所定の枚数を一組のデータセットとし分類して、当該条件を満足する組が最も多くなるようにデータセットを生成し、分類種別のうち、最も多くのデータセットが生成された分類種別の当該データセットを用いて、当該データセットの各々に含まれる画像データが１つのシーンに割り当てられるように、スライドショーデータを生成し、スライドショーデータの生成において、当該スライドショーデータに使用されなかった画像データに対して、最も多くのデータセットが生成された分類種別以外の分類種別に基づく特徴量の算出、データセットの分類及びスライドショーデータの生成を、画像データの枚数がスライドショーデータの生成ができなくなる枚数になるまで繰り返すように構成される。
【０００６】
このようなスライドショー再生装置において、分類種別は、画像データの特徴量として当該画像データの色情報を用いるように構成されることが好ましい。
【０００７】
このようなスライドショー再生装置において、分類種別は、画像データの特徴量として当該画像データの明暗情報を用いるように構成されることが好ましい。
【０００８】
また、このようなスライドショー再生装置において、分類種別は、画像データの特徴量として当該画像データの撮影時刻情報を用いるように構成されることが好ましい。
【０００９】
さらに、分類種別は、画像データの特徴量として当該画像データに含まれる被写体の顔検出情報を用いるように構成されることが好ましい。
【００１０】
さらに、このようなスライドショー再生装置は、光学系及び当該光学系で結像された像を検出する撮像素子を備え、当該撮像素子で検出された像を画像データとしてユーザー画像格納部に記憶させる撮像部をさらに有することが好ましい。
【発明の効果】
【００１１】
本発明に係るスライドショー再生装置を以上のように構成すると、スライドショーの１つのシーンに表示される複数枚の画像は、画像データの特徴量により分類された画像群の複数の分類種別の中から自動的に対比的な画像となるように選択され、且つ、スライドショーにおいて、できるだけ多くの画像を表示することができる。
【発明を実施するための最良の形態】
【００１２】
以下、本発明の好ましい実施形態について図面を参照して説明する。図１は、本実施形態に係るスライドショー再生装置を有する撮像装置１００のハードウェア構成を表す模式図であり、図２は、この撮像装置１００での撮影モードの動作フロー図である。この撮像装置１００は、具体的には、デジタルカメラ等である。まず、この撮像装置１００を用いて、画像を撮影する場合の動作を図１，図２を参照しつつ説明する。
【００１３】
図１に示すように、撮像装置１００は、メモリ１０１、撮影装置制御部１０２、画像処理部１０３、可搬性メモリ１０４、表示部１０５、レリーズスイッチ１０６、スイッチ制御部１０７、外部端子１０８、画像出力開始スイッチ１０９を有しており、これらが相互に接続されている。メモリ１０１は、不揮発メモリであって、一旦、画像データ等が記憶されると、撮像装置１００本体の電源が遮断されても、記憶された画像データ等を保持することができるようになっており、ユーザー画像格納部として機能する。撮影装置制御部１０２は、マイクロプロセッサであり、撮像装置１００で撮影した画像の処理や、画像データの保存などを行う際の指示等を制御するなど、撮像装置１００で行う動作全体の制御を司るものとなっている。また、画像処理部１０３は、メモリ１０１に記憶された画像データに対して各種の画像処理等を行うプロセッサである。この撮影装置制御部１０２及び画像処理部１０３は、スライドショーデータ生成部としても機能するものである。可搬性メモリ１０４は、メモリカード等であり、画像処理部１０３が行った画像データに対する処理の結果や、作成した出力画像リスト（スライドショーデータ）や、画像データの撮影情報等を更新可能なデータとして一時的に記憶したり、保存したりするものである。表示部１０５は、撮像装置１００に備わる液晶表示部等であり、撮像装置１００で撮影したい画像を確認したりできる。また、レリーズスイッチ１０６や画像出力開始スイッチ１０９は、ユーザーが直接操作することができるようになっている。外部端子１０８は、例えば、ＵＳＢ端子であり、モニタ１１０と接続できるようになっており、このモニタ１１０に画像を表示させることもできるようになっている。また、この撮像装置１００は、光学系１２１と撮像素子１２２とからなる撮像部１２０を有し、光学系１２１で集光して被写体の像を結像し、結像された像を撮像素子１２２上で検出して、その像を画像データとしてメモリ１０１に格納するようになっている。
【００１４】
撮像装置１００は、以上のように構成されており、ユーザーは、撮影したい画像を、光学系１２１及び撮像素子１２２で検出して表示部１０５に表示し、この表示部１０５で確認できると、レリーズスイッチ１０６を押す。レリーズスイッチ１０６がユーザーによって押されると、撮像装置１００内においては、その指示がスイッチ制御部１０７に伝わり、スイッチ制御部１０７は、撮像装置１００のシステムの動作を撮影モードに移行させる（ステップＳ２１）。そして、撮像された画像データは、メモリ１０１内に保存される（ステップＳ２２）。すなわち、このメモリ１０１は、ユーザー画像データ格納部として機能するものである。そして、このメモリ１０１に蓄積された画像は、画像処理部１０３により、縮小／拡大やその他の各種画像処理が施され、表示部１０５にて画像表示され（ステップＳ２３）、ユーザーは、撮像した画像の確認をすることができる。そして、この時、その蓄えられた画像は、可搬性メモリ１０４にＤＣＦ規格に準拠した画像フォーマットで記録されるようになっている（ステップＳ２４）。なお、この可搬性メモリ１０４もユーザー画像データ格納部として機能させることができる。そして、上記の一連の動作を行った後、再度レリーズスイッチ１０６がユーザーによって押されるまでは、撮像装置１００のシステムは、待機状態となっている。以上が、本実施の形態の撮像装置１００の撮影モードの動作である。
【００１５】
そして、この撮像装置１００は、上述の一連の動作で、撮影された画像データを使用して、後述するスライドショー表示する際のデータを構築するようになっている。なお、以上の撮影モードで撮影された画像データは、メモリ１０１に保存される際の撮影時刻の情報が、画像ファイルデータと関連付けられてＥｘｉｆ（Ｅｘｃｈａｎｇｅａｂｌｅ  Ｉｍａｇｅ  Ｆｉｌｅ  Ｆｏｒｍａｔ）タグ情報として可搬性メモリ１０４に記録される。さらに、撮影時にこの撮像装置１００に搭載されている顔検出機能（図示せず）によって、その画像データの顔の数が検出され、この顔検出結果がＥｘｉｆタグ情報として、画像データのファイルと関連付けて可搬性メモリ１０４に記録されるようになっている。これらのＥｘｉｆタグ情報は、後述する、画像データの分類の際に参照されるタグ情報の一例のデータとなっている。
【００１６】
以上のように、この撮像装置１００は、ユーザーが撮影した画像データをメモリ１０１等に記憶することができるようになっており、本実施の形態においては、このように、予め取得され記憶された画像データを使用して、スライドショーの生成、再生表示が行われるように構成されているので、次に、このような撮像装置１００に組み込まれ、この撮像装置１００で撮影されてメモリ１０１等に記憶されている画像データからスライドショーを作成し、再生表示する機能について説明する。なお、以降の説明では、撮像装置１００にスライドショーの生成、再生表示を実装した場合について説明するが、本発明がこの構成に限定されることはなく、例えば、ＣＰＵやＲＯＭ、ＲＡＭ等の処理装置と、ハードディスク等の記憶部を備えるコンピュータに実装しても良いことは言うまでもない。
【００１７】
（画像ファイルデータのデータ構造）
本実施の形態では、ユーザーが撮影した画像群は、画像ＩＤで管理されており、可搬性メモリ１０４に図３のデータ構造を有する画像ファイル２００として管理されている。この画像ファイル２００は、画像データのファイル名を記憶するファイ名データカラム２００ｂと、その画像データの色の特徴量を算出してＲＧＢの３種類に分類された色分類の結果を記憶する色分類データカラム２００ｃと、その色の特徴量の閾値との距離から色分類の信頼度を算出した結果を記憶する色分類信頼度データカラム２００ｄと、画像データの明るさの特徴量を算出し閾値との比較により、画像の明暗を分類した結果を記憶する明るさの分類データカラム２００ｅと、その閾値からの距離を記憶する明るさの特徴量データカラム２００ｆと、Ｅｘｉｆタグ情報として記憶されている撮影時刻と顔検出の結果を記憶する撮影時刻情報データカラム２００ｇと顔の個数データカラム２００ｈとを、有する構成となっている。
【００１８】
以上のように、本実施の形態において、画像処理部１０３が、画像データをその特徴量に基づいて予め分類し、可搬性メモリ１０４に記憶する。画像データを分類するための対比種別データ（分類種別）は、具体的には、画像データの色情報、明暗情報、撮影時刻情報及び顔の個数情報に基づくものである。つまり、画像データの特徴量である、色情報、明るさ情報、撮影時刻情報、顔の個数の情報は、それぞれ、画像データを可搬性メモリ１０４に記憶する際に、画像処理部１０３によって、算出され、その画像データのファイル名と関連付けて、画像ファイル２００に画像ＩＤで管理される。可搬性メモリ１０４に記憶される画像ファイル２００の画像ＩＤデータカラム２００ａには、画像ＩＤが記憶され、それに対応するように画像ファイルデータカラム２００ｂに画像データのファイル名が記憶される。そして、この画像データファイルと関連付けて、Ｅｘｉｆタグ情報の撮影時刻情報と顔検出結果が、それぞれ、撮影時刻データカラム２００ｇ及び顔の個数データカラム２００ｈに記憶されるようになっている。このように、画像データファイルは、画像ＩＤで管理され、特徴量に応じた分類がなされたデータとして構成されており、この画像ＩＤのデータを使用して、スライドショー再生する際のスライドショーデータである出力画像リスト３００（図４参照）を構成するようになっている。
【００１９】
（出力画像リストのデータ構造）
本実施の形態において、スライドショー再生する際に、撮影装置制御部１０２が参照するスライドショーデータは、図４のデータ構造を有する出力画像リスト３００として、可搬性メモリ１０４に記憶されている。ここでは、この出力画像リスト３００のリスト番号（Ｎｏ）データカラム３００ａに、スライドショーの再生の順序が、０〜１０まで記憶されている場合について説明する。このとき、対比種別データカラム３００ｂには、そのリスト番号で表示される画像データがどのような分類種別によって処理されたかを示すデータが記憶されており、例えば、「リストＮｏ１」は、「色による対比」が行われた画像データが選択されている。そして、そのリスト番号で表示する画像データの枚数が画像枚数データカラム３００ｃに記憶される。さらに、画像データのリストが、画像ＩＤで管理され、画像ＩＤデータカラム３００ｄに画像１〜画像Ｎまで記憶されるようになっている。この画像ＩＤデータカラム３００ｄには、画像枚数データカラム３００ｂに記憶されている画像の枚数分だけ、画像ＩＤが記憶されるようになっており、必要枚数以外の部分は、データ無しとなっている。なお、この出力画像リスト３００の作成手順等については、後述する。
【００２０】
（画像データの分類処理）
それでは、具体的に、以上のように図３に示す画像ファイル２００として管理される画像データの特徴量に基づく分類処理の工程について、図５の表示画像選択処理の工程フローを用いて説明する。まず、撮影装置制御部１０２が、可搬性メモリ１０４に保存されている処理対象の画像ファイルを参照し、画像データを読み込む（ステップＳ３１）。この時、同時に、画像データのＥｘｉｆタグ情報も可搬性メモリ１０４から読み込まれ（ステップＳ３２）、このＥｘｉｆタグ情報の撮影時刻情報と顔検出結果が、それぞれ、撮影時刻データカラム２００ｇ、顔の個数データカラム２００ｈに記憶される。
【００２１】
次に、読み込んだ画像データに対し、画像処理部１０３が、画像データの特徴量を算出する（ステップＳ３３）。この時算出される画像データの特徴量としては、色情報、明暗情報である。ここで、色情報による分類は、Ｙ：輝度(luminance) 、Ｃｂ：色差(chrominance)及び、 Ｃｒ：色差(chrominance)からなるＹＣｂＣｒ表色系を用いて行う。画像処理部１０３が、対象とする画像データをＹＣｂＣｒ表色系のそれぞれの成分でヒストグラム化し、その中で、一番出現頻度の高い値を各成分の代表値として選択し、色分けを行うための閾値とその代表値を照らし合わせＲＧＢに振り分ける。そして、ヒストグラムの代表値の出現割合が、色分類の信頼度とされる。つまり、ヒストグラムの代表値の出現割合は、０〜２５５までの値となっており、ヒストグラムの代表値の出現割合は、色分けを行うための閾値とヒストグラムの代表値との距離から算出されるデータとなっており、この値が色分類に対する信頼度となる。このＲＧＢの振り分けの情報と、色分類の信頼度の情報とは、それぞれ、画像データのファイル名と対応させて、図３の画像ファイル２００の色分類データカラム２００ｃ及び色分類信頼度データカラム２００ｄに記憶されるようになっている。ここで、色分けを行うための閾値は、撮像装置１００内の図示しないＲＯＭに予め記憶され、この分類処理は、ＲＯＭに記憶された閾値を参照して、画像処理部１０３が行うようになっている。
【００２２】
また、明暗情報による分類は、色情報による分類と同様に、ＹＣｂＣｒ表色系を用いて行うが、ここでは、Ｙ成分（輝度成分）のみに注目してヒストグラム化し、Ｙ成分の出現頻度の一番高い値を代表値とする。このＹ成分の代表値は、上述の色情報による分類の際の結果を利用することができるので、色情報の分類に続けて行うことができる。そして、画像処理部１０３は、暗画像および明画像に対して予め定められた閾値と、この代表値とを比較し、その閾値より低い場合は、その画像データを暗画像に振り分け、その閾値より高い場合には、その画像データを明画像に振り分ける。また、この閾値と代表値との距離が明るさの特徴量（０〜２５６）となる。このような分類の結果である暗画像または明画像への振り分けと、明るさの特徴量とが、それぞれ、画像データのファイル名と関連付けられて、図３の画像ファイル２００の明るさの分類データカラム２００ｅ及び、明るさの特徴量データカラム２００ｆに記憶されるようになっている。ここで、暗画像及び明画像の振り分けを行うための閾値は、上述の色分類の場合と同様、撮像装置１００内の図示しないＲＯＭに予め記憶され、そして、この分類処理も、ＲＯＭに記憶された閾値を参照して、画像処理部１０３が行うようになっている。以上のように、画像データの特徴量が算出され（ステップＳ３３）、画像データの分類処理が行われるようになっている。
【００２３】
次に、画像処理部１０３は、可搬性メモリ１０４から読み込まれた対象となる画像データの全てに対して、上述の処理が終了したか否かを判断する（ステップＳ３４）。終了していない場合には、ステップＳ３１〜ステップＳ３４の工程が繰り返し行われる。画像処理部１０３が、全ての画像データに対して、上記処理が終了したと判断すると、後述する対象画像データ選択処理の工程に進み（ステップＳ３５）、画像データの分類処理の工程は終了する。ここでの分類処理による各データは、上述したように画像ファイル２００を識別するための画像ＩＤに対応させて、画像ファイル名と共に記憶されるようになっている。以上のような工程により、画像データの特徴量に基づく分類処理が行われ、図３の画像ファイル２００として管理されるようになっている。
【００２４】
（対象画像データ選択処理工程）
上述の画像データ分類処理の工程におけるステップＳ３５の対象画像データ選択処理の工程について図６を用いて説明する。本実施形態においては、この対象画像データ選択処理の工程は、画像データ分類処理の一連の工程において行うようになっているが、画像データが撮影された際に、図３の画像ファイル２００で管理される画像ＩＤを予め記憶するように構成しているので、この対象画像データ選択処理の工程は、スライドショーを行う画像データ群が指定された際に行うようにしてもよい。
【００２５】
全ての画像データの分類が終了すると、画像処理部１０３は、可搬性メモリ１０４に記憶された画像ファイル２００を参照して、その分類種別（対比種別）ごとに画像データを並びかえて、画像データを選択し一組のデータセットを作成する（ステップＳ４１）。これらのデータセットは、それぞれの分類種別に応じて、可搬性メモリ１０４に、色分類対比選択画像データファイル２２０、明暗分類対比選択画像データファイル２２１、撮影時刻分類対比選択画像データファイル２２２及び、顔個数分類対比選択画像データファイル２２３のデータとして保存されるようになっている（図７，８）。具体的には、色情報に基づく場合には、画像処理部１０３は、画像ファイル２００の色分類信頼度データカラム２００ｄに記憶されているデータを参照して、色分類データカラム２００ｃに記憶されているＲＧＢの色ごとに割当られた画像データを色分類信頼度データカラム２００ｄのデータの高いものから順（降順）に並べる。そして、画像処理部１０３は、各ＲＧＢに分類された画像データの色分類信頼度の高い画像データから順に３枚を一組のデータセットとして選択し、色分類に基づく対比種別データとして、色分類対比選択画像データファイル２２０の選択番号データカラム２２０ａの番号１に、その選択された画像データのファイル名をＲＧＢの順に、画像ファイルデータカラム２２０ｂ，２２０ｄ，２２０ｆにそれぞれ記憶する（図７参照（ａ））。さらに、画像処理部１０３は、次に信頼度の高いデータを３枚選択して、一組のデータセットとして、次の番号２に、そのデータセットのファイル名を記憶していく。画像処理部１０３は、このような対比選択を全ての画像データに対して行い、ＲＧＢに割り振られた各画像データを３枚一組のデータセットとして選択できなくなると、色分類に基づく分類種別（対比種別）の画像データ選択は終了し、画像処理部１０３は、次の情報に基づいて、画像データを選択する。
【００２６】
明暗情報による場合には、画像処理部１０３は、明るさの分類データカラム２００ｅに記憶されている明暗ごとに割当てられた画像データを、明るさの特徴量データカラム２２０ｆの値の高い順（降順）に並べる。そして、画像処理部１０３は、明画像に分類された画像データ群からは、特徴量の高い順に画像データを選択し、暗画像に分類された画像データ群からは、特徴量の低い順に画像データを選択して、２枚を一組のデータセットとし、明暗分類に基づく対比種別データとし、明暗分類対比選択画像データファイル２２１の選択番号データカラム２２１ａの番号１に、そのデータセットのファイル名を明暗の順に、画像ファイルデータカラム２２１ｂ，２２１ｄに記憶する（図７参照（ｂ））。明画像、暗画像に分類された画像データ群のうち、どちらか一方の画像データ群が全て選択されると、明暗分類に基づく対比種別（分類種別）の画像データ選択は終了し、画像処理部１０３は、次の情報、例えば撮影時刻の情報に基づいて、画像データを選択する。
【００２７】
画像データの撮影時刻の情報に基づく場合は、画像処理部１０３は、撮影時刻データカラム２００ｇを参照する。この撮影時刻情報データカラム２００ｇに記憶されている撮影時刻は、年月日を含まない時刻情報で構成されている。画像処理部１０３は、この時刻情報に基づき、画像データを００：００から３０分単位にごとに分類し、順に２４：００までの順序に並べる。次に、画像処理部１０３は、１２時間差となる画像データを撮影時刻の早い順から２枚を選択して（具体的には、００：００に分類され画像データと１２：００に分類された画像データから一枚ずつ）１組のデータセットとする。画像処理部１０３は、撮影時刻の情報に基づく対比種別データとして、撮影時刻分類対比選択画像データファイル２２２の選択番号データカラム２２２ａの番号１に、そのデータセットのファイル名を明暗の順に、画像ファイルデータカラム２２２ｂ，２２２ｄに記憶する（図８参照（ａ））。画像処理部１０３は、この画像データの選択を００：００と１２：００の対から始め、１１：３０と２３：３０で終了となるように行う。以上の処理が終了すると、画像処理部１０３は、次の画像データの特徴量である顔の個数情報に基づいて、画像データを選択する。
【００２８】
画像データの顔の個数情報に基づく場合は、画像処理部１０３は、顔の個数データカラム２００ｈを参照する。この顔の個数データカラム２００ｈのデータは、撮像装置１００に予め搭載されている顔検出機能によって特定された情報であり、画像処理部１０３は、個数の多い画像データから順に降順に並べる。次に、画像処理部１０３は、一定の閾値以上（例えば、４個以上）離れている画像データを２枚、１組のデータセットとして選択する。そして、画像処理部１０３は、顔の個数の情報に基づく対比種別データとして、顔個数分類対比選択画像データファイル２２３の選択番号データカラム２２３ａの番号１に、そのデータセットのファイル名を画像ファイルデータカラム２２３ｂ，２２３ｄに記憶する（図８参照（ｂ））。このようにして、画像処理部１０３は、計２枚ずつの画像データを重複しないように選択してデータセットを作成し、データセットが作成できなくなると、この分類処理を終了する。ここで、顔の個数の情報の場合に、一定の閾値を設定し、顔の多いグループと少ないグループに分けて、多いグループは、多い順に、少ないグループは少ない順に並べて、それぞれのグループから画像データを選択するようにしてもよい。なお、色分類対比選択画像データファイル２２０、明暗分類対比選択画像データファイル２２１、撮影時刻分類対比選択画像データファイル２２２、顔個数分類対比選択画像データファイル２２３の各データファイルは、可搬性メモリ１０４に一時的に記憶されるようになっている。そして、このように１組のデータセットにされた画像データは、後のスライドショー再生の際に１つのシーン（画面）に配置されるので、１つのシーンで対比的な印象を与える画面構成とすることができるようになっている。
【００２９】
画像処理部１０３は、以上の工程を行い、可搬性メモリ１０４に一時的に記憶された色分類対比選択画像データファイル２２０、明暗分類対比選択画像データファイル２２１、撮影時刻分類対比選択画像データファイル２２２及び顔個数分類対比選択画像データファイル２２３を参照し、全ての分類種別（対比種別）に対して、設定された画像データの全てを対象として対比選択処理を行い、データセットが作成できたか否かを判断する（ステップＳ４２）。できていない場合には、ステップＳ４１に戻り、ステップＳ４１、Ｓ４２が繰り返される。一方、画像処理部１０３は、全ての分類種別（対比種別）に対し、データセットが作成されたと判断すると、次の工程に進み、一番多くのデータセットが作成された対比種別を選択する（ステップＳ４３）。この時、画像処理部１０３は、上述した出力画像リスト３００（図４参照）のリスト番号データカラム３００ａのリスト番号０から順に、選択された対比種別のデータセットの数まで、対比種別データカラム３００ｂに選択された対比種別のデータを記憶する。具体的には、画像処理部１０３は、リスト番号０〜４までの対比種別データカラム３００ｂに「色による対比」を記憶して、その対比種別で１シーンに使用する画像データの枚数、この場合は、「３枚」を画像枚数データカラム３００ｂに記憶し、そのデータセットの画像ＩＤを画像ＩＤデータカラム３００ｄに設定する。画像処理部１０３は、色分類対比選択画像データファイル２２０に記憶されている画像データのデータセット、例えば、図７（ａ）の選択番号１のデータセットである画像ファイル名「ＤＳＣ＿０００１．ＪＰＧ」，「ＤＳＣ＿０００５．ＪＰＧ」，「ＤＳＣ＿０００４．ＪＰＧ」をリスト番号０に設定する。このとき画像ＩＤデータカラム３００ｄに記憶設定されるデータは、画像データのＩＤ番号であり、図３の画像ファイル２００の画像ＩＤデータカラム２００ａに記憶されているデータである。そして、対比種別の画像データのデータセットは、上述のようにファイル名で管理されているので（図７，８参照）、画像ＩＤを取得するには、この対比種別の画像データのファイル名と、画像ファイル２００のファイル名データカラム２００ｂに記憶されているファイル名とを照らし合わせることにより取得することができる。このようにして、選択した対比種別の画像データのデータセットが、出力画像リスト３００に全て設定される。これらの一連の動作は、画像処理部１０３が行うようになっている。
【００３０】
次に、画像処理部１０３は、選択された分類種別（対比種別）の画像データファイル名と他の分類種別の画像データファイル名とが重複している場合には、その画像データのファイル名を他の対比種別の画像ファイルデータカラムから削除する（ステップＳ４４）。画像処理部１０３は、全ての画像データに対して分類種別が選択されたか否かを判断する（ステップＳ４５）。一方、画像処理部１０３は、全ての画像データに対して分類処理がなされたと判断すると、対象画像データ選択処理工程は終了する。一方、選択された分類種別（対比種別）に、全ての画像データを対象としたデータセットが記憶されていない場合には、画像処理部１０３は、この対比種別を除いて（ステップＳ４６）、ステップＳ４１に戻り、ステップＳ４１〜Ｓ４６の工程を繰り返し、上述したのと同様に、出力画像リスト３００が設定されるようになっている。
【００３１】
このように、画像処理部１０３が、全ての画像データを対象として、対象画像データ選択処理工程を行い、出力画像リスト３００を設定するので、この出力画像リスト３００に基づいて、スライドショー再生がされると、多くの画像データが表示部に表示されることとなる。そのため、ユーザーが見たい画像が表示されないなどの不都合を解消することができる。そして、上述したように、この画像データのデータセットは、対比的な印象を与える画像データの組み合わせとなっているので、印象的なスライドショーを行うこともできる。また、このような印象的な画像データの組み合わせは、撮像装置１００内の画像処理部１０３によって、自動的に出力画像リスト３００の設定を行うことができるのでユーザーがスライドショーの１シーン毎に主たる画像を選択する手間を省くことができるので、煩雑でない。
【００３２】
（スライドショー再生処理）
最後に、上述のようにして作成された出力画像リスト３００のスライドショーデータに基づいて、スライドショーを再生表示する機能について説明する。なお、機能間のデータの流れ等は、図１を使用して説明し、処理の流れについては図９を使用して説明する。この撮像装置１００において、撮影装置制御部１０２は、スライドショーの再生を行うスライドショー再生部として機能する。スライドショー再生の起動は、画像出力開始スイッチ１０９を通じて行うことができる。ユーザーが画像出力開始スイッチ１０９（図１参照）を操作するとその操作情報が、スイッチ制御部１０７に入力され、スイッチ制御部１０７は、撮像装置１００のシステムの動作を撮影画像出力モードに移行させる（ステップＳ５１）。次に、撮影装置制御部１０２が、可搬性メモリ１０４に保存されている出力画像リスト３００のリスト番号データカラム３００ａのリスト番号０から参照し、そのリスト番号０の画像ＩＤデータカラム３００ｄに設定されている画像ＩＤを参照して、同じく、可搬性メモリ１０４に記憶されている画像ファイル２００を参照して、表示する画像データを選択する（ステップＳ５２）。そして、撮影装置制御部１０２は、その出力画像リスト３００のリスト番号データカラム３００ａのリスト番号０から順に選択された画像データを表示部１０５に送り、画像を表示部１０５に表示して、スライドショー再生処理が行われ（ステップＳ５３）、出力画像リスト３００の順に、全ての画像データが表示されるとスライドショーの再生処理が終了するようになっている。
【００３３】
以上のように、この撮像装置１００におけるスライドショーは、上述の画像処理部１０３で作成された出力画像リスト３００に基づいて、再生表示されるように構成されているため、スライドショーの１つの画面（シーン）に一度に表示される画像データ（ここでは、１つのリスト番号での画像データ）は、対比的な印象を与える画像データとなるように設定されて表示されるので、ユーザーが飽きることがない。そして、このスライドショーを構成する画像データは、ユーザーが指定した画像データ群のほぼ全てがスライドショー表示されることとなるため、ユーザーが見たい画像が表示されないなどの不都合が解消されるようになっている。
【図面の簡単な説明】
【００３４】
【図１】本実施形態に係るスライドショー再生装置を有する撮像装置のブロック図である。
【図２】撮像装置の撮影モードの動作を示すフローチャートである。
【図３】画像ファイルデータのデータ構成を示すデータ構成図である。
【図４】スライドショーとして表示される画像データの出力画像リストのデータ構成を示すデータ構成図である。
【図５】画像データの分類処理を示すフローチャートである。
【図６】対象画像データ選択処理の工程を示すフローチャートである。
【図７】対象画像データ選択処理工程で使用されるデータのデータ構成を示すデータ構成図であって、（ａ）は色分類対比選択画像データのデータ構成を示し、（ｂ）は明暗分類対比選択画像データのデータ構成を示す。
【図８】対象画像データ選択処理工程で使用されるデータのデータ構成を示すデータ構成図であって、（ａ）は撮影時刻分類対比選択画像データのデータ構成を示し、（ｂ）は顔個数分類対比選択画像データのデータ構成を示す。
【図９】スライドショー再生する際の処理工程を示すフローチャートである。
【符号の説明】
【００３５】
１００  撮像装置（スライドショー再生装置）
１０１  メモリ    １０２  撮影装置制御部  １０３  画像処理部    １０４  可搬性メモリ
１２０  撮像部    １２１  光学系    １２２  撮像素子
【図１】
2010074340.tif 000003
【図２】
2010074340.tif 000004
【図３】
2010074340.tif 000005
【図４】
2010074340.tif 000006
【図５】
2010074340.tif 000007
【図６】
2010074340.tif 000008
【図７】
2010074340.tif 000009
【図８】
2010074340.tif 000010
【図９】
2010074340.tif 000011